(57)【要約】【課題】管理対象に付与されているＲＦＩＤタグを予備のＲＦＩＤタグと交換しても、そのままデータ管理を継続できる対象管理装置を提供する。【解決手段】管理対象ＭＳに添付されているＲＦＩＤタグ２００のＲＦＩＤチップ２１０が破損した場合は、そのＲＦＩＤタグ２００に印刷されているＩＤデータがＣＣＤカメラ１０２で光学読取される。このとき、管理対象ＭＳに添付されていない予備のＲＦＩＤタグ２００のＩＤデータもＲＦＩＤリーダ１０１やＣＣＤカメラ１０２で取得される。すると、ＲＦＩＤチップ２１０が破損したＲＦＩＤタグ２００から光学読取されたＩＤデータが破損ＩＤとして、ＩＤ関連部１１２により予備のＲＦＩＤタグ２００のＩＤデータである予備ＩＤと関連される。そして、対象管理部１１１でデータ管理されている破損ＩＤが関連された予備ＩＤに管理置換部１１３で置換される。【選択図】図１
2009075730.tif 000002
【特許請求の範囲】
【請求項１】
複数の管理対象を個々に添付された複数のＲＦＩＤ（Radio Frequency Identification）タグでデータ管理する対象管理装置であって、
前記ＲＦＩＤタグは、ＩＤデータが登録されているＲＦＩＤチップを有するとともに前記ＩＤデータが光学表記されており、
前記ＲＦＩＤタグの前記ＲＦＩＤチップから前記ＩＤデータを取得するＲＦＩＤリーダと、
前記管理対象を添付されている前記ＲＦＩＤタグの前記ＩＤデータによりデータ管理する対象管理手段と、
前記ＲＦＩＤタグに印刷されている前記ＩＤデータを光学読取する光学読取デバイスと、
前記ＲＦＩＤチップが破損した前記ＲＦＩＤタグから光学読取された前記ＩＤデータを破損ＩＤとして予備の前記ＲＦＩＤタグの前記ＩＤデータである予備ＩＤと関連させるＩＤ関連手段と、
前記対象管理手段でデータ管理されている前記破損ＩＤを関連された前記予備ＩＤに置換させる管理置換手段と、
を有する対象管理装置。
【請求項２】
前記管理置換手段は、前記光学読取デバイスが前記ＩＤデータを光学読取しているときに前記ＲＦＩＤリーダが前記ＩＤデータを取得しないと前記破損ＩＤを判定して前記予備ＩＤに置換させる請求項１に記載の対象管理装置。
【請求項３】
前記対象管理手段は、少なくとも前記ＩＤデータが設定されている管理ファイルを前記管理対象ごとに記憶し、
前記管理置換手段は、前記ＲＦＩＤチップが破損した前記ＲＦＩＤタグの前記管理ファイルに前記ＩＤデータが前記破損ＩＤであることを記録するとともに前記予備ＩＤを記録し、
前記対象管理手段は、前記管理ファイルに前記ＩＤデータが前記破損ＩＤであると記録されていると前記予備ＩＤを前記ＩＤデータと認識する請求項１または２に記載の対象管理装置。
【請求項４】
前記管理置換手段は、前記ＲＦＩＤリーダから前記対象管理手段に取得される前記予備ＩＤを前記破損ＩＤに置換する請求項１または２に記載の対象管理装置。
【請求項５】
前記ＲＦＩＤチップから取得された前記ＩＤデータを前記ＲＦＩＤタグの白紙状態の表面に印刷するＩＤ印刷手段を、さらに有する請求項１ないし４の何れか一項に記載の対象管理装置。
【請求項６】
複数の管理対象に個々に添付される複数のＲＦＩＤタグと、前記ＲＦＩＤタグで前記管理対象をデータ管理する対象管理装置と、を有する対象管理システムであって、
前記ＲＦＩＤタグは、ＩＤデータが登録されているＲＦＩＤチップを有するとともに前記ＩＤデータが光学表記されており、
前記対象管理装置は、前記ＲＦＩＤタグの前記ＲＦＩＤチップから前記ＩＤデータを取得するＲＦＩＤリーダと、前記管理対象を添付されている前記ＲＦＩＤタグの前記ＩＤデータによりデータ管理する対象管理手段と、前記ＲＦＩＤタグに印刷されている前記ＩＤデータを光学読取する光学読取デバイスと、前記ＲＦＩＤチップが破損した前記ＲＦＩＤタグから光学読取された前記ＩＤデータを破損ＩＤとして予備の前記ＲＦＩＤタグの前記ＩＤデータである予備ＩＤと関連させるＩＤ関連手段と、前記対象管理手段でデータ管理されている前記破損ＩＤを関連された前記予備ＩＤに置換させる管理置換手段と、を有する対象管理システム。
【請求項７】
複数の管理対象に個々に添付される複数のＲＦＩＤタグと、前記ＲＦＩＤタグで前記管理対象をデータ管理する対象管理装置と、を有する対象管理システムの前記ＲＦＩＤタグであって、
ＩＤデータが登録されているＲＦＩＤチップと、
前記ＲＦＩＤチップが搭載されているとともに前記ＩＤデータが光学表記されているタグ本体と、
を有するＲＦＩＤタグ。
【請求項８】
請求項１ないし５の何れか一項に記載の対象管理装置のためのコンピュータプログラムであって、
前記ＲＦＩＤタグの前記ＲＦＩＤチップから前記ＩＤデータを前記ＲＦＩＤリーダに取得させるＩＤ取得処理と、
前記管理対象を添付されている前記ＲＦＩＤタグの前記ＩＤデータによりデータ管理する対象管理処理と、
前記ＲＦＩＤタグに印刷されている前記ＩＤデータを前記光学読取デバイスに光学読取させる光学読取処理と、
前記ＲＦＩＤチップが破損した前記ＲＦＩＤタグから光学読取された前記ＩＤデータを破損ＩＤとして予備の前記ＲＦＩＤタグの前記ＩＤデータである予備ＩＤと関連させるＩＤ関連処理と、
前記対象管理処理でデータ管理されている前記破損ＩＤを関連された前記予備ＩＤに置換させる管理置換処理と、
を前記対象管理装置に実行させるためのコンピュータプログラム。
【請求項９】
請求項１ないし５の何れか一項に記載の対象管理装置のデータ処理方法であって、
前記ＲＦＩＤタグの前記ＲＦＩＤチップから前記ＩＤデータを前記ＲＦＩＤリーダに取得させるＩＤ取得工程と、
前記管理対象を添付されている前記ＲＦＩＤタグの前記ＩＤデータによりデータ管理する対象管理工程と、
前記ＲＦＩＤタグに印刷されている前記ＩＤデータを前記光学読取デバイスに光学読取させる光学読取工程と、
前記ＲＦＩＤチップが破損した前記ＲＦＩＤタグから光学読取された前記ＩＤデータを破損ＩＤとして予備の前記ＲＦＩＤタグの前記ＩＤデータである予備ＩＤと関連させるＩＤ関連工程と、
前記対象管理処理でデータ管理されている前記破損ＩＤを関連された前記予備ＩＤに置換させる管理置換工程と、
を有するデータ処理方法。
【発明の詳細な説明】
【技術分野】
【０００１】
本発明は、複数の管理対象を個々に添付された複数のＲＦＩＤタグでデータ管理する対象管理装置、この対象管理装置を有する対象管理システム、この対象管理システムのＲＦＩＤタグ、対象管理装置のコンピュータプログラムおよびデータ処理方法、に関する。
【背景技術】
【０００２】
現在、組立工場などでは、管理対象である組立製品をデータ管理するため、組立製品にＲＦＩＤタグを貼付することが提案されている。この場合、組立工程にＲＦＩＤリーダを設置しておくことで、組立製品が、どの組立工程を、何時移動したか、などをリアルタイムにデータ管理することができる。
【０００３】
現在、上述のように組立工場での組立製品などの管理対象をデータ管理するための各種の提案がある（例えば、特許文献１〜３参照）。
【特許文献１】特開２００５−０２５４１２号公報
【特許文献２】特開２００１−２２９３４４号公報
【特許文献３】特開２００５−２８８９６８号公報
【発明の開示】
【発明が解決しようとする課題】
【０００４】
しかし、上述のように組立製品に貼付したＲＦＩＤタグに故障が発生し、その組立製品をリアルタイムにデータ管理することができなくなることがある。同様に、組立製品からＲＦＩＤタグが脱落することもある。このような場合、例えば、破損したＲＦＩＤタグを取り外すなどして、組立製品に予備のＲＦＩＤタグを貼付することになる。
【０００５】
この場合は、ＲＦＩＤタグの交換に対応して組立製品の管理データも更新する必要がある。しかし、組立工場などでは組立製品は複数の組立工程を経由しており、その管理データの全部を更新することは作業が煩雑であり、データエラーの原因ともなる。
【０００６】
本発明は上述のような課題に鑑みてなされたものであり、管理対象に付与されているＲＦＩＤタグを予備のＲＦＩＤタグと交換しても、そのまま管理対象のデータ管理を継続することができる対象管理装置、この対象管理装置を有する対象管理システム、この対象管理システムのＲＦＩＤタグ、対象管理装置のコンピュータプログラムおよびデータ処理方法、を提供するものである。
【課題を解決するための手段】
【０００７】
本発明の対象管理装置は、複数の管理対象を個々に添付された複数のＲＦＩＤタグでデータ管理する対象管理装置であって、ＲＦＩＤタグは、ＩＤデータが登録されているＲＦＩＤチップを有するとともにＩＤデータが光学表記されており、ＲＦＩＤタグのＲＦＩＤチップからＩＤデータを取得するＲＦＩＤリーダと、管理対象を添付されているＲＦＩＤタグのＩＤデータによりデータ管理する対象管理手段と、ＲＦＩＤタグに印刷されているＩＤデータを光学読取する光学読取デバイスと、ＲＦＩＤチップが破損したＲＦＩＤタグから光学読取されたＩＤデータを破損ＩＤとして予備のＲＦＩＤタグのＩＤデータである予備ＩＤと関連させるＩＤ関連手段と、対象管理手段でデータ管理されている破損ＩＤを関連された予備ＩＤに置換させる管理置換手段と、を有する。
【０００８】
本発明の対象管理システムは、複数の管理対象に個々に添付される複数のＲＦＩＤタグと、ＲＦＩＤタグで管理対象をデータ管理する対象管理装置と、を有する対象管理システムであって、ＲＦＩＤタグは、ＩＤデータが登録されているＲＦＩＤチップを有するとともにＩＤデータが光学表記されており、対象管理装置は、ＲＦＩＤタグのＲＦＩＤチップからＩＤデータを取得するＲＦＩＤリーダと、管理対象を添付されているＲＦＩＤタグのＩＤデータによりデータ管理する対象管理手段と、ＲＦＩＤタグに印刷されているＩＤデータを光学読取する光学読取デバイスと、ＲＦＩＤチップが破損したＲＦＩＤタグから光学読取されたＩＤデータを破損ＩＤとして予備のＲＦＩＤタグのＩＤデータである予備ＩＤと関連させるＩＤ関連手段と、対象管理手段でデータ管理されている破損ＩＤを関連された予備ＩＤに置換させる管理置換手段と、を有する対象管理システム。
【０００９】
本発明のＲＦＩＤタグは、複数の管理対象に個々に添付される複数のＲＦＩＤタグと、ＲＦＩＤタグで管理対象をデータ管理する対象管理装置と、を有する対象管理システムのＲＦＩＤタグであって、ＩＤデータが登録されているＲＦＩＤチップと、ＲＦＩＤチップが搭載されているとともにＩＤデータが光学表記されているタグ本体と、を有する。
【００１０】
本発明のコンピュータプログラムは、本発明の対象管理装置のためのコンピュータプログラムであって、ＲＦＩＤタグのＲＦＩＤチップからＩＤデータをＲＦＩＤリーダに取得させるＩＤ取得処理と、管理対象を添付されているＲＦＩＤタグのＩＤデータによりデータ管理する対象管理処理と、ＲＦＩＤタグに印刷されているＩＤデータを光学読取デバイスに光学読取させる光学読取処理と、ＲＦＩＤチップが破損したＲＦＩＤタグから光学読取されたＩＤデータを破損ＩＤとして予備のＲＦＩＤタグのＩＤデータである予備ＩＤと関連させるＩＤ関連処理と、対象管理処理でデータ管理されている破損ＩＤを関連された予備ＩＤに置換させる管理置換処理と、を対象管理装置に実行させる。
【００１１】
本発明のデータ処理方法は、本発明の対象管理装置のデータ処理方法であって、ＲＦＩＤタグのＲＦＩＤチップからＩＤデータをＲＦＩＤリーダに取得させるＩＤ取得工程と、管理対象を添付されているＲＦＩＤタグのＩＤデータによりデータ管理する対象管理工程と、ＲＦＩＤタグに印刷されているＩＤデータを光学読取デバイスに光学読取させる光学読取工程と、ＲＦＩＤチップが破損したＲＦＩＤタグから光学読取されたＩＤデータを破損ＩＤとして予備のＲＦＩＤタグのＩＤデータである予備ＩＤと関連させるＩＤ関連工程と、対象管理処理でデータ管理されている破損ＩＤを関連された予備ＩＤに置換させる管理置換工程と、を有する。
【００１２】
なお、本発明の各種の構成要素は、その機能を実現するように形成されていればよく、例えば、所定の機能を発揮する専用のハードウェア、所定の機能がコンピュータプログラムにより付与された対象管理装置、コンピュータプログラムにより対象管理装置に実現された所定の機能、これらの任意の組み合わせ、等として実現することができる。
【００１３】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１４】
また、本発明のデータ処理方法には複数の工程を順番に記載してあるが、その記載の順番は複数の工程を実行する順番を限定するものではない。このため、本発明のデータ処理方法を実施するときには、その複数の工程の順番は内容的に支障しない範囲で変更することができる。
【００１５】
さらに、本発明のデータ処理方法の複数の工程は個々に相違するタイミングで実行されることに限定されない。このため、ある工程の実行中に他の工程が発生すること、ある工程の実行タイミングと他の工程の実行タイミングとの一部ないし全部が重複していること、等でもよい。
【発明の効果】
【００１６】
本発明の対象管理装置では、通常は管理対象に添付されているＲＦＩＤタグのＲＦＩＤチップからＲＦＩＤリーダでＩＤデータを取得し、この取得されたＩＤデータにより管理対象を対象管理手段でデータ管理する。ただし、管理対象に添付されているＲＦＩＤタグのＲＦＩＤチップが破損した場合は、そのＲＦＩＤタグに印刷されているＩＤデータが光学読取デバイスで光学読取される。このとき、管理対象に添付されていない予備のＲＦＩＤタグのＩＤデータもＲＦＩＤリーダや光学読取デバイスで取得される。すると、ＲＦＩＤチップが破損したＲＦＩＤタグから光学読取されたＩＤデータが破損ＩＤとして、ＩＤ関連手段により予備のＲＦＩＤタグのＩＤデータである予備ＩＤと関連される。そして、対象管理手段でデータ管理されている破損ＩＤが関連された予備ＩＤに管理置換手段で置換される。このため、管理対象に添付されているＲＦＩＤタグのＲＦＩＤチップが破損した場合は、そのＲＦＩＤタグを予備のＲＦＩＤタグと交換しても、そのまま管理対象のデータ管理を継続することができる。従って、管理対象ごとの管理ファイルを手動操作でデータ更新するような煩雑な作業を必要とすることなく、破損したＲＦＩＤタグを予備のＲＦＩＤタグと交換してデータ管理を継続することができる。
【発明を実施するための最良の形態】
【００１７】
本発明の実施の一形態を図面を参照して以下に説明する。本実施の形態の対象管理システム１０００は、図１に示すように、複数の管理対象ＭＳに個々に添付される複数のＲＦＩＤタグ２００と、ＲＦＩＤタグ２００で管理対象ＭＳをデータ管理する対象管理装置１００と、を有する。
【００１８】
ＲＦＩＤタグ２００は、図１および図２に示すように、ＩＤデータが登録されているＲＦＩＤチップ２１０と、ＲＦＩＤチップ２１０が搭載されているとともにＩＤデータが二次元コード２２１で光学表記されているタグ本体２２０と、を有する。
【００１９】
対象管理装置１００は、図１に示すように、ＲＦＩＤタグ２００のＲＦＩＤチップ２１０からＩＤデータを取得するＲＦＩＤリーダ１０１と、取得されたＩＤデータにより管理対象ＭＳをデータ管理する対象管理部１１１と、ＲＦＩＤタグ２００に印刷されているＩＤデータを光学読取する光学読取デバイスであるＣＣＤ（Charge Coupled Device）カメラ１０２と、ＲＦＩＤチップ２１０が破損したＲＦＩＤタグ２００から光学読取されたＩＤデータを破損ＩＤとして予備のＲＦＩＤタグ２００のＩＤデータである予備ＩＤと関連させるＩＤ関連部１１２と、対象管理部１１１でデータ管理されている破損ＩＤを関連された予備ＩＤに置換させる管理置換部１１３と、を有する。
【００２０】
より詳細には、対象管理装置１００は、ハードウェアとして複数のＲＦＩＤリーダ１０１と複数のＣＣＤカメラ１０２とデータベースサーバ１１０を有し、このデータベースサーバ１１０に複数のＲＦＩＤリーダ１０１と複数のＣＣＤカメラ１０２とが接続されている。
【００２１】
本実施の形態の対象管理システム１０００は、例えば、図３に示すように、組立工場に利用されている。この場合、前述の管理対象ＭＳは、組立工場での組立製品などからなる。
【００２２】
そこで、複数のＲＦＩＤリーダ１０１と複数のＣＣＤカメラ１０２とは、組立工場の組立ラインの各所に設置されており、データベースサーバ１１０は、組立工場のバックヤードに設置されている。
【００２３】
データベースサーバ１１０は、実装されているコンピュータプログラムに対応して各種のデータ処理を実行することにより、前述の各部１１１〜１１３が論理的に実現されている。
【００２４】
このようなコンピュータプログラムは、例えば、ＲＦＩＤタグ２００のＲＦＩＤチップ２１０からＩＤデータをＲＦＩＤリーダ１０１に取得させるＩＤ取得処理と、取得されたＩＤデータにより管理対象ＭＳをデータ管理する対象管理処理と、ＲＦＩＤタグ２００に印刷されているＩＤデータをＣＣＤカメラ１０２に光学読取させる光学読取処理と、ＲＦＩＤチップ２１０が破損したＲＦＩＤタグ２００から光学読取されたＩＤデータを破損ＩＤとして予備のＲＦＩＤタグ２００のＩＤデータである予備ＩＤと関連させるＩＤ関連処理と、対象管理処理でデータ管理されている破損ＩＤを関連された予備ＩＤに置換させる管理置換処理と、をデータベースサーバ１１０に実行させるように記述されている。
【００２５】
なお、対象管理部１１１は、少なくともＩＤデータが設定されている管理ファイルＭＦを管理対象ＭＳごとに記憶する。管理置換部１１３は、ＲＦＩＤチップ２１０が破損したＲＦＩＤタグ２００の管理ファイルＭＦにＩＤデータが破損ＩＤであることを記録するとともに予備ＩＤを記録する。そこで、対象管理部１１１は、管理ファイルＭＦにＩＤデータが破損ＩＤであると記録されていると予備ＩＤをＩＤデータと認識する。
【００２６】
上述のような構成において、本実施の形態の対象管理システム１０００によるデータ処理方法を以下に説明する。前述のように、本実施の形態の対象管理システム１０００を利用する組立工場では、複数の組立工程で順次組み立てられる組立製品が管理対象ＭＳとしてデータ管理される。
【００２７】
そこで、その管理対象ＭＳにはＲＦＩＤタグ２００が、いわゆる電子かんばんとして添付される。このＲＦＩＤタグ２００には個々にＩＤデータが記録されているので、このＩＤデータにより管理対象ＭＳがデータベースサーバ１１０でデータ管理される。
【００２８】
上述のような管理対象ＭＳが組立工程を移動するとき、そのＲＦＩＤタグ２００のＲＦＩＤチップ２１０が、組立工程のＲＦＩＤリーダ１０１で検出される。このとき、ＲＦＩＤチップ２１０からＲＦＩＤリーダ１０１によりＩＤデータが取得されてデータベースサーバ１１０に送信される。
【００２９】
すると、図４に示すように、このＩＤデータを受信したデータベースサーバ１１０では(ステップＳ１)、そのＩＤデータがＲＦＩＤリーダ１０１によりＲＦＩＤチップ２１０から取得されたかが判定される(ステップＳ２)。
【００３０】
これでＲＦＩＤリーダ１０１により取得されたと判定されると(ステップＳ２−Ｙ)、そのＩＤデータで管理ファイルが検索されてデータ更新される(ステップＳ４，Ｓ５)。このため、管理対象ＭＳが、どの組立工程を、何時移動したか、などが管理ファイルでリアルタイムにデータ管理される。
【００３１】
ただし、ＲＦＩＤチップ２１０は破損することがある。このような場合、ＲＦＩＤリーダ１０１がＲＦＩＤチップ２１０を検出できなくなる。そこで、これをパイロットランプの不点灯などで確認した作業者は(図示せず)、そのＲＦＩＤタグ２００を交換することになる。
【００３２】
その場合、作業者はＲＦＩＤチップ２１０が破損したＲＦＩＤタグ２００の二次元コード２２１をＣＣＤカメラ１０２に光学読取させる。すると、これでＲＦＩＤチップ２１０と同一のＩＤデータが光学読取されるので、このＩＤデータがデータベースサーバ１１０に送信される。
【００３３】
このＩＤデータを受信したデータベースサーバ１１０では(ステップＳ１)、そのＩＤデータがＲＦＩＤリーダ１０１ではなくＣＣＤカメラ１０２により取得されたことを判定する(ステップＳ２−Ｎ)。
【００３４】
すると、データベースサーバ１１０は、例えば、ＣＣＤカメラ１０２に並設されているモニタタッチパネルに「ＲＦＩＤタグを交換しますか  Ｙ／Ｎ」などのガイダンスデータを表示出力させる(図示せず)。
【００３５】
そこで、作業者がＲＦＩＤタグの交換を入力操作すると、これを検知したデータベースサーバ１１０は(ステップＳ３−Ｙ)、光学読取されたＩＤデータで管理ファイルを検索する(ステップＳ６)。
【００３６】
一方、作業者は管理対象ＭＳに添付されていない予備のＲＦＩＤタグ２００を用意し、そのＲＦＩＤタグ２００のＲＦＩＤチップ２１０または二次元コード２２１を、ＲＦＩＤリーダ１０１またはＣＣＤカメラ１０２に読み取らせる。
【００３７】
すると、これで取得されたＩＤデータがデータベースサーバ１１０に送信されるので、このデータベースサーバ１１０は、ＩＤデータを予備ＩＤとして受信する(ステップＳ７−Ｙ)。
【００３８】
つぎに、検索された管理ファイルＭＦにＩＤデータが破損ＩＤであることが記録され(ステップＳ８)、その管理ファイルＭＦに予備ＩＤが記録される(ステップＳ９)。これで以後は予備ＩＤをＩＤデータとして管理ファイルＭＦがデータ管理される。
【００３９】
そこで、作業者はＲＦＩＤチップ２１０が破損したＲＦＩＤタグ２００を管理対象ＭＳから取り外して破棄し、この管理対象ＭＳに上述の予備のＲＦＩＤタグ２００を添付する。
【００４０】
本実施の形態の対象管理システム１０００では、上述のように通常は管理対象ＭＳに添付されているＲＦＩＤタグ２００のＲＦＩＤチップ２１０からＲＦＩＤリーダ１０１でＩＤデータを取得し、この取得されたＩＤデータにより管理対象ＭＳを対象管理部１１１でデータ管理する。
【００４１】
ただし、管理対象ＭＳに添付されているＲＦＩＤタグ２００のＲＦＩＤチップ２１０が破損した場合は、そのＲＦＩＤタグ２００に印刷されているＩＤデータがＣＣＤカメラ１０２で光学読取される。
【００４２】
このとき、管理対象ＭＳに添付されていない予備のＲＦＩＤタグ２００のＩＤデータもＲＦＩＤリーダ１０１やＣＣＤカメラ１０２で取得される。すると、ＲＦＩＤチップ２１０が破損したＲＦＩＤタグ２００から光学読取されたＩＤデータが破損ＩＤとして、ＩＤ関連部１１２により予備のＲＦＩＤタグ２００のＩＤデータである予備ＩＤと関連される。
【００４３】
そして、対象管理部１１１でデータ管理されている破損ＩＤが関連された予備ＩＤに管理置換部１１３で置換される。このため、管理対象ＭＳに添付されているＲＦＩＤタグ２００のＲＦＩＤチップ２１０が破損した場合は、そのＲＦＩＤタグ２００を予備のＲＦＩＤタグ２００と交換しても、そのまま管理対象ＭＳのデータ管理を継続することができる。
【００４４】
従って、管理対象ＭＳごとの管理ファイルＭＦを手動操作でデータ更新するような煩雑な作業を必要とすることなく、破損したＲＦＩＤタグ２００を予備のＲＦＩＤタグ２００と交換してデータ管理を継続することができる。
【００４５】
なお、本発明は本実施の形態に限定されるものではなく、その要旨を逸脱しない範囲で各種の変形を許容する。例えば、上記形態ではＲＦＩＤチップ２１０の破損を作業者が確認し、その破損したＲＦＩＤタグ２００のＩＤデータを破損ＩＤとして予備のＲＦＩＤタグ２００の予備ＩＤに置換させることを例示した。
【００４６】
しかし、ＣＣＤカメラ１０２がＲＦＩＤタグ２００のＩＤデータを光学読取しているときに、ＲＦＩＤリーダ１０１がＩＤデータを取得しないと、そのＲＦＩＤタグ２００は破損していることになる。
【００４７】
そこで、上述のような状態で光学読取されているＩＤデータを破損ＩＤを判定し、これを予備のＲＦＩＤタグ２００の予備ＩＤに置換させてもよい(図示せず)。この場合、ＲＦＩＤチップ２１０の破損判定と予備ＩＤへの置換とを自動的に実行することができる。
【００４８】
さらに、上記形態ではＲＦＩＤチップ２１０が破損したＲＦＩＤタグ２００の管理ファイルＭＦにＩＤデータが破損ＩＤであることを記録するとともに予備ＩＤを記録し、管理ファイルＭＦにＩＤデータが破損ＩＤであると記録されていると予備ＩＤをＩＤデータと認識することを例示した。
【００４９】
しかし、管理置換部１１３が、ＲＦＩＤリーダ１０１から対象管理部１１１に取得される予備ＩＤを破損ＩＤに置換してもよい。この場合、対象管理装置１００は破損ＩＤを予備ＩＤに置換して管理対象ＭＳをデータ管理することができるが、対象管理部１１１では管理ファイルＭＦを破損ＩＤのままデータ管理することができる。
【００５０】
また、上記形態ではＲＦＩＤタグ２００にＲＦＩＤチップ２１０のＩＤデータが事前に印刷されていることを想定した。しかし、対象管理装置１００が、ＲＦＩＤチップ２１０から取得されたＩＤデータをＲＦＩＤタグ２００の白紙状態の表面に印刷するＩＤ印刷部(図示せず)を有してもよい。
【００５１】
さらに、上記形態ではＲＦＩＤタグ２００に光学読取できるＩＤデータが二次元コード２２１で記録されており、対象管理装置１００がＣＣＤカメラ１０２を有することを例示した。
【００５２】
しかし、ＲＦＩＤタグ２００に光学読取できるＩＤデータがバーコードやＯＣＲ文字などで記録されており、これを光学読取できるデバイスを対象管理装置１００が有してもよい(図示せず)。
【００５３】
さらに、本実施の形態では対象管理装置１００の各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【００５４】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図面の簡単な説明】
【００５５】
【図１】本発明の実施の形態の対象管理システムの論理構造を示す模式的なブロック図である。
【図２】ＲＦＩＤタグの外観を示す斜視図である。
【図３】対象管理システムの物理構造を示す模式的なブロック図である。
【図４】対象管理装置のデータ処理方法を示すフローチャートである。
【符号の説明】
【００５６】
１００    対象管理装置
１０１    ＲＦＩＤリーダ
１０２    ＣＣＤカメラ
１１０    データベースサーバ
１１１    対象管理部
１１２    ＩＤ関連部
１１３    管理置換部
２００    ＲＦＩＤタグ
２１０    ＲＦＩＤチップ
２２０    タグ本体
２２１    二次元コード
１０００    対象管理システム
ＭＦ    管理ファイル
ＭＳ    管理対象
【図１】
2009075730.tif 000003
【図２】
2009075730.tif 000004
【図３】
2009075730.tif 000005
【図４】
2009075730.tif 000006